(57)【要約】【課題】  ゴルフ・コースにおけるグリーン上でのパッティングの際に、グリーン面の傾斜を的確かつ迅速に判別することができるゴルフ用パターを実現する。【課題】【解決手段】  パター１０のクラブ・ヘッド５１におけるクラブ・フェースの背面壁５２に設けた溝部５３内に、上面部が水平面と平行であり、かつ、長さ方向がクラブ・シャフト６１の長さ方向と直交する水平器４１を収容して配設する。クラブ・シャフト６１の周壁におけるクラブ・ヘッド５１の背面壁５２側の部位に設けた切欠部を介して、クラブ・シャフト６１の中空部内に、上面部が水平面と平行であり、かつ、長さ方向がクラブ・シャフト６１の長さ方向と一致する水平器１１を配設する。【選択図】        図１
0003102411.tif 000002
【実用新案登録請求の範囲】
【請求項１】
ゴルフ・ボールを叩打するためのクラブ・ヘッド（５１）と、
前記クラブ・ヘッドを振るためのクラブ・シャフト（６１）と、
前記クラブ・シャフトを握持するためのグリップ（７１）とからなるゴルフ用パターにおいて、
前記クラブ・ヘッドにおけるクラブ・フェースの背面壁（５２）に設けた溝部（５３）内に、上面部が水平面（Ｈ）と平行であり、かつ、長さ方向（Ｄｈ）が前記クラブ・シャフトの長さ方向（Ｄｓ）と直交する第１の水平器（４１）が収容されて配設されるとともに、
前記クラブ・シャフトの周壁における前記クラブ・ヘッドの背面壁側の部位に設けた切欠部（３１）を介して、前記クラブ・シャフトの中空部内に、上面部が水平面と平行であり、かつ、長さ方向が前記クラブ・シャフトの長さ方向と一致する第２の水平器（１１）を配設したことを特徴とするゴルフ用パター。
【考案の詳細な説明】
【技術分野】
【０００１】
本考案はゴルフ用パターすなわちゴルフ・コースにおけるグリーン上でのパッティングに用いるゴルフ・クラブに関する。具体的には、練習用のパターとして使用するのに適したものであり、グリーン面の傾斜を的確かつ迅速に判別することができるゴルフ用パターを提供せんとするものである。
【背景技術】
【０００２】
ゴルフにおいては、グリーン上でのパッティングの出来不出来が、スコア・メイクを決定するといわれるように、パッティングの良否は極めて重要な要素となる。しかし、グリーン面は、必ずしも平坦な水平面を形成しているとは限らず、傾斜面を有していることが多い。したがって、ゴルフ・プレーヤーにとっては、グリーン上にオンしているゴルフ・ボールと、これを打ち込むカップが嵌入されたホールとの間のグリーン面の傾斜を、的確に判断することが必要となるが、その判断が容易でない場合もある。
【０００３】
そこで、グリーン面の傾斜を判別する手段を備えたパターが、従来より提案されており、その構成を図５に示し説明する。ここで、図５は、この従来例の構成を示す平面図である。
【０００４】
図５において、１３１は、図示されてはいないゴルフ・ボールを叩打するクラブ・ヘッド１２１を振るための、緩やかなテーパ状に形成されたクラブ・シャフトであり、その端部には、クラブ・シャフト１３１を握持するためのグリップ１４１が固着されている。
【０００５】
このグリップ１４１には、長穴状の溝部１４２が設けられている。ここにおける溝部１４２は、その深さ方向がクラブ・ヘッド１２１の長さ方向に対して直角となる位置に設けられており、その中に、水平度が確保されいるか否かを検認するための水平器１１１が、埋め込まれるようにして配設されている。
【０００６】
このように構成されたパター１００を用いてグリーン上でパッティングをする場合に、グリーン面の傾斜の判断は、つぎのようにして行う。すなわち、グリーン上にオンしているゴルフ・ボールの中心とホールの中心とを結ぶラインに、クラブ・シャフト１３１の軸心が一致するように、パター１００をグリーン上に置く。
【０００７】
そこで、グリップ１４１に配設されている水平器１１１内の気泡の位置を確認する。これにより、ゴルフ・ボールとホールとを結ぶラインが、上り傾斜なのか、あるいは下り傾斜なのかを判断できることになる。
【特許文献１】実開平５−９１７２８号公報
【考案の開示】
【考案が解決しようとする課題】
【０００８】
しかしながら、図５により説明した従来例によると、つぎのような解決すべき課題がある。すなわち、グリーン上でパッティングをする場合は、グリーン面の傾斜は、ゴルフ・ボールとホールとを結ぶラインの傾斜だけではなく、このラインと直交するラインの傾斜（右傾斜または左傾斜）も判断する必要がある。
【０００９】
したがって、ゴルフ・ボールとホールとを結ぶライン上にパター１００を置いて、このラインの傾斜を確認した後、このラインと直交するラインの傾斜を判断する場合は、この直交する方向にパター１００を置き直して、右傾斜なのか左傾斜なのかを確認しなければならないことになる。
【００１０】
すなわち、図５に示した従来例には、ゴルフ・ボールとホールとを結ぶラインの傾斜と、このラインと直交するラインの傾斜を確認する場合は、それぞれのライン上にパター１００を置かなければならない煩わしさを伴うという解決すべき課題があった。
【課題を解決するための手段】
【００１１】
上記課題に照らし、本考案はなされたものである。そのために、本考案では、つぎのような手段を用いるようにした。すなわち、ゴルフ用パターにおけるクラブ・シャフトの中空部内に、クラブ・シャフトの軸心方向における傾斜を検認するための水平器を配設するとともに、クラブ・ヘッドにおけるクラブ・フェースの背面壁に、クラブ・シャフトの軸心方向と直交する方向における傾斜を検認するための水平器を配設するようにした。
【考案の効果】
【００１２】
本考案によるならば、ゴルフ・ボールとホールとを結ぶラインに、クラブ・シャフトの軸心が一致するように、クラブ・シャフトをグリーン上に一度置くだけで、ゴルフ・ボールとホールとを結ぶラインの傾斜と、このラインと直交するラインの傾斜の双方を同時に確認することができる。すなわち、グリーン上のゴルフ・ボールとホールとの間のグリーン面の傾斜を、迅速に判断することが可能となる。したがって、本考案によるゴルフ用パターを練習用のパターとして使用するならば、スコアの向上を図るうえで、極めて有効である。
【考案を実施するための最良の形態】
【００１３】
本考案を実施するための最良の形態を、図１に示し説明する。ここで、図１は、本考案
を実施するための最良の形態におけるゴルフ用パターの構成を示す平面図である。
【００１４】
図１において、本考案によるパター１０では、クラブ・シャフト６１とクラブ・ヘッド５１のそれぞれに水平器１１，４１を配設している。クラブ・ヘッド５１に配設された水平器４１は、長さが例えば35mmであるのに対して、クラブ・シャフト６１に配設された水平器１１の長さは、例えば10cmである。
【００１５】
クラブ・シャフト６１に配設する水平器１１は、図２（一部を切欠いた側面図）に示すように、クラブ・ヘッド５１におけるゴルフ・ボールの叩打面であるクラブ・フェース５４が下側となり、その背面壁５２が上側となるように、パター１０を水平面Ｈに置いた場合に、水平器１１の上面部が水平面Ｈと平行となり、かつ、水平器１１の長さ方向がクラブ・シャフト６１の長さ方向と一致するように、クラブ・シャフト６１の中空部内に配設する。
【００１６】
このクラブ・シャフト６１の中空部内に配設される水平器１１は、図３（部分断面図）に示すように、クラブ・シャフト６１の周壁に設けた切欠部３１を介して、クラブ・シャフト６１の中空部内に固定される。その際、水平器１１の外径よりもクラブ・シャフト６１の内径の方が大きい場合は、図示するように、水平器１１の底部に添設部材２１を固着したうえで、この添設部材２１をクラブ・シャフト６１の内壁に固着する。水平器１１の外径とクラブ・シャフト６１の内径がほぼ等しい場合は、添設部材２１は配設せずに、水平器１１とクラブ・シャフト６１とが接触する部分を接着剤を用いて接着する。
【００１７】
なお、クラブ・シャフト６１に設ける切欠部３１は、クラブ・シャフト６１の周壁におけるクラブ・ヘッド５１の背面壁５２側（図２上で上側）の部位であれば、任意の部位に設けてよい。また、クラブ・シャフト６１に切欠部３１を設けても、パター１０によるゴルフ・ボールへの叩打力は、さほど大きくないことから、クラブ・シャフト６１の強度に影響を与えることはない。
【００１８】
他方、クラブ・ヘッド５１に配設する水平器４１は、図４（ａ）（部分断面図）に示すように、ゴルフ・ボールをストロークする叩打面であるクラブ・フェース５４の背面壁５２に設けた溝部５３内に収容されるようにして固着されている。また、この水平器４１は、クラブ・ヘッド４１を水平面Ｈに置いた場合に、水平器４１の上面部が、水平面Ｈと平行になるように配設されている。さらに、水平器４１は、図４（ｂ）（平面図）に示すように、その長さ方向Ｄｈが、クラブ・シャフト６１の長さ方向Ｄｓと直交するように、クラブ・ヘッド５１に配設されている。
【００１９】
このように構成されたパター１００を用いてグリーン上でパッティングをする場合は、図５に示した従来例と同様に、グリーン上にオンしているゴルフ・ボールの中心とホールの中心とを結ぶラインに、クラブ・シャフト６１の軸心が一致するように、パター１０をグリーン上に置く。
【００２０】
そこで、ゴルフ・ボールとホールとを結ぶラインの傾斜は、クラブ・シャフト６１に配設された水平器１１を検認するにより、上り傾斜であるか下り傾斜であるかを確認する。また、ゴルフ・ボールとホールとを結ぶラインと直交するラインの傾斜は、クラブ・シャフト６１をそのまま置いた状態で、クラブ・ヘッド５１に配設された水平器４１により、右傾斜あるいは左傾斜を確認する。
【００２１】
すなわち、一度パター１０をグリーン上に置くだけで、ゴルフ・ボールとホールとを結ぶラインの傾斜と、このラインと直交するラインの傾斜の双方を、同時に確認することができるので、ゴルフ・ボールとホールとの間のグリーン面の傾斜を迅速に判断することが可能となる。したがって、このような構成のパターを練習用のパターとして用いるならば、ゴルフ・プレーヤーにとっては、グリーン面の傾斜を読み取る感覚を養うことができるようになり、良好なスコア・メイクの実現に寄与することになる。
【図面の簡単な説明】
【００２２】
【図１】本考案を実施するための最良の形態を示す平面図である。
【図２】図１に示したパターの一部を切欠いた側面図である。
【図３】図２に示したクラブ・シャフトに配設された水平器の配設状態を示す部分断面図である。
【図４】図１に示したクラブ・ヘッドに配設された水平器の配設状態を示す構成図である。
【図５】従来例の構成を示す平面図である。
【符号の説明】
【００２３】
１０  パター
１１  水平器
１２  気泡
２１  添設部材
３１  切欠部
４１  水平器
５１  クラブ・ヘッド
５２  背面壁
５３  溝部
５４  クラブ・フェース
６１  クラブ・シャフト
７１  グリップ
１００  パター
１１１  水平器
１２１  クラブ・ヘッド
１３１  クラブ・シャフト
１４１  グリップ
１４２  溝部
【図１】
0003102411.tif 000003
【図２】
0003102411.tif 000004
【図３】
0003102411.tif 000005
【図４】
0003102411.tif 000006
【図５】
0003102411.tif 000007